【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、
その入球手段に遊技球が入球したことに基づいて所定の判別情報を取得可能な取得手段と、
その取得手段により取得された前記判別情報を用いて、判別条件の成立に基づいて判別を実行する判別手段と、
その判別手段の判別結果を示す識別情報が表示される表示手段と、
その表示手段に特定の判別結果を示す前記識別情報が表示されたことに基づいて、遊技者に有利な特典遊技を実行する特典遊技実行手段と、
予め定められた複数段階の演出態様のうち少なくとも一部が実行され、予め定められた特定段階の演出態様が実行されることで前記特定の判別結果が示唆される特定演出を実行する特定演出実行手段と、
前記複数段階の演出態様のうち、前記特定段階の演出態様よりも低い所定段階の演出態様が実行された後の所定期間において開始される、前記特定の判別結果とは異なる外れ判別結果を示す前記識別情報の動的表示期間において、前記特定演出の実行が抑制されるように構成されているものであることを特徴とする遊技機。
【請求項２】
前記表示手段は、遊技者に視認可能となる位置に設けられているものであることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、遊技球が入球可能な入球手段と、その入球手段に遊技球が入球したことに基づいて所定の判別情報を取得可能な取得手段と、その取得手段により取得された前記判別情報を用いて、判別条件の成立に基づいて判別を実行する判別手段と、その判別手段の判別結果を示す識別情報が表示される表示手段と、その表示手段に特定の判別結果を示す前記識別情報が表示されたことに基づいて、遊技者に有利な特典遊技を実行する特典遊技実行手段と、予め定められた複数段階の演出態様のうち少なくとも一部が実行され、予め定められた特定段階の演出態様が実行されることで前記特定の判別結果が示唆される特定演出を実行する特定演出実行手段と、前記複数段階の演出態様のうち、前記特定段階の演出態様よりも低い所定段階の演出態様が実行された後の所定期間において開始される、前記特定の判別結果とは異なる外れ判別結果を示す前記識別情報の動的表示期間において、前記特定演出の実行が抑制されるように構成されているものである。
【手続補正３】
【補正対象書類名】明細書
【補正対象項目名】０００８
【補正方法】変更
【補正の内容】
【０００８】
請求項２記載の遊技機は、請求項１記載の遊技機において、前記表示手段は、遊技者に視認可能となる位置に設けられているものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明の遊技機によれば、遊技球が入球可能な入球手段と、その入球手段に遊技球が入球したことに基づいて所定の判別情報を取得可能な取得手段と、その取得手段により取得された前記判別情報を用いて、判別条件の成立に基づいて判別を実行する判別手段と、その判別手段の判別結果を示す識別情報が表示される表示手段と、その表示手段に特定の判別結果を示す前記識別情報が表示されたことに基づいて、遊技者に有利な特典遊技を実行する特典遊技実行手段と、予め定められた複数段階の演出態様のうち少なくとも一部が実行され、予め定められた特定段階の演出態様が実行されることで前記特定の判別結果が示唆される特定演出を実行する特定演出実行手段と、前記複数段階の演出態様のうち、前記特定段階の演出態様よりも低い所定段階の演出態様が実行された後の所定期間において開始される、前記特定の判別結果とは異なる外れ判別結果を示す前記識別情報の動的表示期間において、前記特定演出の実行が抑制されるように構成されているものである。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】２６２５
【補正方法】変更
【補正の内容】
【２６２５】
上記各遊技機のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、始動入賞口への遊技球の入賞に基づいて行われる抽選の結果が当たりだった場合に、遊技者にとって有利な当たり状態へと移行するものがある。この従来型の遊技機では、抽選が実行される毎に、当たりか否かを示唆する示唆演出を実行することにより、遊技に対する興趣の向上を図っていた（特許文献１：特開２００１−２５５４３号公報）。
しかしながら、従来型の遊技機における示唆演出では、遊技者の興趣を十分に向上させることができなかった。
よって、更なる興趣の向上が求められている。
本技術的思想は、上記例示した問題点等を解決するためになされたものであり、遊技に対する興趣を向上できる遊技機を提供することを目的とする。
＜手段＞
この目的を達成するために技術的思想１の遊技機は、遊技球が入球可能な入球手段と、その入球手段に遊技球が入球したことに基づいて情報を取得する取得手段と、その取得手段により取得された前記情報を判別条件の成立に基づいて判別する判別手段と、少なくとも前記判別条件が成立するまで、前記取得手段に取得された前記情報が記憶される記憶手段と、前記判別手段の判別結果に基づく識別情報が表示される表示手段と、その表示手段に特定の前記判別結果に基づく前記識別情報が表示された場合に遊技者に有利な特典を付与する特典付与手段と、その表示手段に表示される識別情報を動的表示する動的表示手段と、その動的表示手段により動的表示される前記識別情報の動的表示期間を決定する動的表示期間決定手段と、その動的表示期間決定手段により決定される前記動的表示期間として、第１動的表示期間と、前記第１動的表示期間よりも所定倍数以上長い第２動的表示期間とが少なくとも記憶された動的表示期間記憶手段と、前記動的表示期間決定手段により前記第１動的表示期間が決定された場合に、その第１動的表示期間の開始から第１期間が経過したタイミングで第１演出を実行する第１演出実行手段と、前記判別手段による判別結果が前記特定の判別結果であることに基づいて、前記動的表示期間決定手段により前記第２動的表示期間が決定された場合に、その第２動的表示期間の開始から前記第１期間が経過したタイミングで前記第１演出を実行し、前記第１動的表示期間が経過する毎に同じタイミングで前記第１演出の実行を所定回数まで繰り返し実行することが可能な第２演出実行手段と、前記判別手段による判別結果が前記特定の判別結果でない場合に、前記第１演出が連続で実行される回数を前記所定回数未満に制限する制限手段と、を有するものである。
技術的思想２の遊技機は、技術的思想１記載の遊技機において、前記動的表示期間決定手段は、前記第２動的表示期間よりも前記第１動的表示期間を決定し易く構成されているものである。
技術的思想３の遊技機は、技術的思想１または２記載の遊技機において、前記第１演出実行手段は、前記第１動的表示期間の開始タイミングに基づいて、前記第１演出を実行するものである。
技術的思想４の遊技機は、技術的思想１から３のいずれかに記載の遊技機において、前記第１動的表示期間は、前記第１演出の演出期間の２倍よりも短い期間で構成されているものである。
＜効果＞
技術的思想１記載の遊技機によれば、遊技球が入球可能な入球手段と、その入球手段に遊技球が入球したことに基づいて情報を取得する取得手段と、その取得手段により取得された前記情報を判別条件の成立に基づいて判別する判別手段と、少なくとも前記判別条件が成立するまで、前記取得手段に取得された前記情報が記憶される記憶手段と、前記判別手段の判別結果に基づく識別情報が表示される表示手段と、その表示手段に特定の前記判別結果に基づく前記識別情報が表示された場合に遊技者に有利な特典を付与する特典付与手段と、その表示手段に表示される識別情報を動的表示する動的表示手段と、その動的表示手段により動的表示される前記識別情報の動的表示期間を決定する動的表示期間決定手段と、その動的表示期間決定手段により決定される前記動的表示期間として、第１動的表示期間と、前記第１動的表示期間よりも所定倍数以上長い第２動的表示期間とが少なくとも記憶された動的表示期間記憶手段と、前記動的表示期間決定手段により前記第１動的表示期間が決定された場合に、その第１動的表示期間の開始から第１期間が経過したタイミングで第１演出を実行する第１演出実行手段と、前記判別手段による判別結果が前記特定の判別結果であることに基づいて、前記動的表示期間決定手段により前記第２動的表示期間が決定された場合に、その第２動的表示期間の開始から前記第１期間が経過したタイミングで前記第１演出を実行し、前記第１動的表示期間が経過する毎に同じタイミングで前記第１演出の実行を所定回数まで繰り返し実行することが可能な第２演出実行手段と、前記判別手段による判別結果が前記特定の判別結果でない場合に、前記第１演出が連続で実行される回数を前記所定回数未満に制限する制限手段と、を有するものである。
これにより、遊技者の興趣を向上できるという効果がある。
技術的思想２記載の遊技機によれば、技術的思想１記載の遊技機の奏する効果に加え、次の効果を奏する。即ち、前記動的表示期間決定手段は、前記第２動的表示期間よりも前記第１動的表示期間を決定し易く構成されている。
これにより、遊技者の遊技に対する興趣を向上させることができるという効果がある。
技術的思想３記載の遊技機によれば、技術的思想１または２に記載の遊技機の奏する効果に加え、次の効果を奏する。即ち、前記第１演出実行手段は、前記第１動的表示期間の開始タイミングに基づいて、前記第１演出を実行する。
これにより、遊技者の興趣を向上させることができるという効果がある。
技術的思想４記載の遊技機によれば、技術的思想１から３のいずれかに記載の遊技機の奏する効果に加え、次の効果を奏する。即ち、前記第１動的表示期間は、前記第１演出の演出期間の２倍よりも短い期間で構成されている。
これにより、制御処理を簡易なものにできるという効果がある。
【手続補正１４】
【補正対象書類名】明細書
【補正対象項目名】２６２６
【補正方法】変更
【補正の内容】
【２６２６】
１０                      パチンコ機（遊技機）
６４                      第１入球口（入球手段の一部）
８１                      第３図柄表示装置（表示手段）
１１４                    表示制御装置（動的表示手段）
２０２ｄ                  変動パターン選択テーブル（動的表示期間記憶手段）
２０３ａ                  特別図柄１保留球格納エリア
６４０ａ                  第２入球口（入球手段の一部）
Ｓ３０５，Ｓ５０８        判別手段
Ｓ３１０，Ｓ３１２        動的表示期間決定手段の一部
Ｓ４０２                  取得手段
Ｓ５１２，Ｓ５１７        動的表示期間決定手段の一部
Ｓ１１０２                特典遊技実行手段
Ｓ３３２１                特定演出実行手段、制限手段